(57)【要約】【課題】お気に入りコンテンツの更新をユーザに随時通知する。【解決手段】Ｗｅｂサーバ２１は、Ｗｅｂサイト上で提示されるコンテンツをユーザの操作に応じて登録するブックマークソフトウェア５をユーザの情報端末装置１に配布する。会員管理サーバ２２は、ブックマークソフトウェア５から定期的に送信されるユーザのブックマーク情報を受信し、ブックマーク情報に登録されているコンテンツが更新されたか否かを判定し、判定の結果に基づいて、ブックマーク情報に登録されているコンテンツの更新の有無をブックマークソフトウェア５を通じてユーザに通知する。【選択図】        図１
2004318389.tif 000002
【特許請求の範囲】
【請求項１】
所定のＷｅｂサイト上で提示されるコンテンツをユーザの操作に応じて登録するブックマーク機能提供手段を、ユーザの情報端末装置に配布する配布手順と、
前記情報端末装置に配布されたブックマーク機能提供手段から定期的に送信されるユーザのブックマーク情報を受信する受信手順と、
前記ブックマーク機能提供手段から受信したブックマーク情報に登録されているコンテンツが更新されたか否かを判定する判定手順と、
前記判定の結果に基づいて、前記ブックマーク情報に登録されているコンテンツの更新の有無を前記ブックマーク機能提供手段を通じてユーザに通知する通知手順とを備えたことを特徴とするＷｅｂサイト誘導方法。
【請求項２】
所定のＷｅｂサイト上で提示されるコンテンツをユーザの操作に応じて登録するブックマーク機能提供手段を、ユーザの情報端末装置に配布する配布手順と、
前記情報端末装置に配布されたブックマーク機能提供手段から定期的に送信されるユーザのブックマーク情報を受信する受信手順と、
前記ブックマーク機能提供手段から受信したブックマーク情報に基づいてユーザが興味を持つジャンルを定期的に推定する第１の推定手順と、
この第１の推定手順で推定したジャンルの情報をユーザが興味を持つジャンルを管理する管理データベースへ転送して、前記管理データベースに対するジャンル情報の登録又は更新をユーザ毎に行う第１の登録更新手順とを備えたことを特徴とするＷｅｂサイト誘導方法。
【請求項３】
請求項２記載のＷｅｂサイト誘導方法において、
前記情報端末装置からのコンテンツアクセスの履歴を示すアクセスログをユーザ別コンテンツ別に収集する収集手順と、
前記ユーザ別コンテンツ別アクセスログに基づいてユーザが興味を持つジャンルをユーザ毎に推定する第２の推定手順と、
この第２の推定手順で推定したジャンルの情報を前記管理データベースへ転送して、前記管理データベースに対するジャンル情報の登録又は更新をユーザ毎に行う第２の登録更新手順とを備えたことを特徴とするＷｅｂサイト誘導方法。
【請求項４】
所定のＷｅｂサイト上で提示されるコンテンツをユーザの操作に応じて登録するブックマーク機能提供手段を、ユーザの情報端末装置に配布する配布手段と、
前記情報端末装置に配布されたブックマーク機能提供手段から定期的に送信されるユーザのブックマーク情報を受信する受信手段と、
前記ブックマーク機能提供手段から受信したブックマーク情報に登録されているコンテンツが更新されたか否かを判定する判定手段と、
前記判定の結果に基づいて、前記ブックマーク情報に登録されているコンテンツの更新の有無を前記ブックマーク機能提供手段を通じてユーザに通知する通知手段とを備えたことを特徴とするＷｅｂサイト誘導システム。
【請求項５】
所定のＷｅｂサイト上で提示されるコンテンツをユーザの操作に応じて登録するブックマーク機能提供手段を、ユーザの情報端末装置に配布する配布手段と、
前記情報端末装置に配布されたブックマーク機能提供手段から定期的に送信されるユーザのブックマーク情報を受信する受信手段と、
前記ブックマーク機能提供手段から受信したブックマーク情報に基づいてユーザが興味を持つジャンルを定期的に推定する第１の推定手段と、
この第１の推定手段で推定されたジャンルの情報をユーザが興味を持つジャンルを管理する管理データベースへ転送して、前記管理データベースに対するジャンル情報の登録又は更新をユーザ毎に行う第１の登録更新手段とを備えたことを特徴とするＷｅｂサイト誘導システム。
【請求項６】
請求項５記載のＷｅｂサイト誘導システムにおいて、
前記情報端末装置からのコンテンツアクセスの履歴を示すアクセスログをユーザ別コンテンツ別に収集する収集手段と、
前記ユーザ別コンテンツ別アクセスログに基づいてユーザが興味を持つジャンルをユーザ毎に推定する第２の推定手段と、
この第２の推定手段で推定されたジャンルの情報を前記管理データベースへ転送して、前記管理データベースに対するジャンル情報の登録又は更新をユーザ毎に行う第２の登録更新手段とを備えたことを特徴とするＷｅｂサイト誘導システム。
【請求項７】
所定のＷｅｂサイト上で提示されるコンテンツをユーザの操作に応じて登録するブックマーク機能提供手段を、ユーザの情報端末装置に配布する配布手順と、
前記情報端末装置に配布されたブックマーク機能提供手段から定期的に送信されるユーザのブックマーク情報を受信する受信手順と、
前記ブックマーク機能提供手段から受信したブックマーク情報に登録されているコンテンツが更新されたか否かを判定する判定手順と、
前記判定の結果に基づいて、前記ブックマーク情報に登録されているコンテンツの更新の有無を前記ブックマーク機能提供手段を通じてユーザに通知する通知手順とをコンピュータに実行させることを特徴とするＷｅｂサイト誘導プログラム。
【請求項８】
所定のＷｅｂサイト上で提示されるコンテンツをユーザの操作に応じて登録するブックマーク機能提供手段を、ユーザの情報端末装置に配布する配布手順と、
前記情報端末装置に配布されたブックマーク機能提供手段から定期的に送信されるユーザのブックマーク情報を受信する受信手順と、
前記ブックマーク機能提供手段から受信したブックマーク情報に基づいてユーザが興味を持つジャンルを定期的に推定する第１の推定手順と、
この第１の推定手順で推定したジャンルの情報をユーザが興味を持つジャンルを管理する管理データベースへ転送して、前記管理データベースに対するジャンル情報の登録又は更新をユーザ毎に行う第１の登録更新手順とをコンピュータに実行させることを特徴とするＷｅｂサイト誘導プログラム。
【請求項９】
請求項８記載のＷｅｂサイト誘導プログラムにおいて、
前記情報端末装置からのコンテンツアクセスの履歴を示すアクセスログをユーザ別コンテンツ別に収集する収集手順と、
前記ユーザ別コンテンツ別アクセスログに基づいてユーザが興味を持つジャンルをユーザ毎に推定する第２の推定手順と、
この第２の推定手順で推定したジャンルの情報を前記管理データベースへ転送して、前記管理データベースに対するジャンル情報の登録又は更新をユーザ毎に行う第２の登録更新手順とをコンピュータに実行させることを特徴とするＷｅｂサイト誘導プログラム。
【発明の詳細な説明】
【０００１】
【発明の属する技術分野】
本発明は、ユーザを所望のＷｅｂサイトに誘導するＷｅｂサイト誘導方法、システムおよびプログラムに関するものである。
【０００２】
【従来の技術】
ＷＷＷ（Ｗｏｒｌｄ  Ｗｉｄｅ  Ｗｅｂ）サービスを利用する場合には、ブラウザと呼ばれるＷｅｂ参照ソフトウェアが利用される。ユーザは、Ｗｅｂサーバに格納されたコンテンツを要求する場合、コンテンツの格納場所を示すＵＲＬ（Ｕｎｉｆｏｒｍ  Ｒｅｓｏｕｒｃｅ  Ｌｏｃａｔｏｒｓ  ）をブラウザから指定する。これにより、Ｗｅｂサーバからコンテンツが送られる。ブラウザは、ユーザが気に入ったコンテンツのＵＲＬをユーザの操作によってブックマークとして登録させる機能を備えている。ユーザが頻繁にアクセスするコンテンツをブックマークに登録しておくことで、Ｗｅｂサーバ上のコンテンツに対するユーザのアクセス操作を自動化することができる。
【０００３】
ところで、Ｗｅｂサーバ上のコンテンツの内容は、定期的に更新される場合が多い。Ｗｅｂサイトの運営者としては、コンテンツの更新をユーザに通知することにより、Ｗｅｂサイトへのアクセスが増えるという効果を期待できる。従来、コンテンツの更新状況をユーザに能動的に知らせる手段として電子メールが利用されている。しかし、広告メールなどが大量に配信される最近では、その有効性が失われつつあり、コンテンツの更新をユーザに通知する有効な手段の開発が要請されている。
【０００４】
そこで、ブックマークに登録されているコンテンツの更新をユーザに通知する情報配信システムが提案されている（例えば、特許文献１参照）。この情報配信システムは、情報配信サーバに登録したユーザに対してユーザ専用ホームページを発行して、ユーザが自身のユーザ専用ホームページにアクセスしたときに、ユーザのブックマーク情報を情報配信サーバに取り込むと共に、ブックマークに登録されているコンテンツが更新された場合には、コンテンツに更新があったことと更新内容とをユーザ専用ホームページに表示するようにしたものである。なお、出願人は、本明細書に記載した先行技術文献情報で特定される先行技術文献以外には、本発明に関連する先行技術文献を出願時までに発見するには至らなかった。
【０００５】
【特許文献１】
特開２００１−２９７１０９号公報
【０００６】
【発明が解決しようとする課題】
しかしながら、特許文献１に開示された情報配信システムでは、ユーザのブックマーク情報の取り込みとブックマークに登録されているコンテンツが更新された場合のユーザへの通知とをユーザ専用ホームページを通じて行っているため、ユーザがユーザ専用ホームページにアクセスしない限り、コンテンツの更新をユーザに通知することができず、ユーザを所望のＷｅｂサイトへ誘導するという効果が不充分であった。
また、ユーザをＷｅｂサイトへ誘導するには、ユーザが興味を持つジャンルのコンテンツをＷｅｂサイト上に用意しておくことが有効であるが、特許文献１に開示された情報配信システムでは、ユーザが興味を持つジャンルを推定することができず、ユーザを所望のＷｅｂサイトへ誘導するという効果が不充分であった。
【０００７】
本発明は、上記課題を解決するためになされたもので、ユーザがＷｅｂサイトにアクセスするか否かに関係なく、お気に入りコンテンツの更新をユーザに随時通知することができ、ユーザを所望のＷｅｂサイトへ効果的に誘導することができるＷｅｂサイト誘導方法、システムおよびプログラムを提供することを目的とする
また、本発明は、ユーザが興味を持つジャンルを推定することができ、ユーザを所望のＷｅｂサイトへ効果的に誘導することができるＷｅｂサイト誘導方法、システムおよびプログラムを提供することを目的とする。
【０００８】
【課題を解決するための手段】
本発明のＷｅｂサイト誘導方法は、所定のＷｅｂサイト上で提示されるコンテンツをユーザの操作に応じて登録するブックマーク機能提供手段を、ユーザの情報端末装置に配布する配布手順と、前記情報端末装置に配布されたブックマーク機能提供手段から定期的に送信されるユーザのブックマーク情報を受信する受信手順と、前記ブックマーク機能提供手段から受信したブックマーク情報に登録されているコンテンツが更新されたか否かを判定する判定手順と、前記判定の結果に基づいて、前記ブックマーク情報に登録されているコンテンツの更新の有無を前記ブックマーク機能提供手段を通じてユーザに通知する通知手順とを備えるものである。
また、本発明のＷｅｂサイト誘導方法は、所定のＷｅｂサイト上で提示されるコンテンツをユーザの操作に応じて登録するブックマーク機能提供手段を、ユーザの情報端末装置に配布する配布手順と、前記情報端末装置に配布されたブックマーク機能提供手段から定期的に送信されるユーザのブックマーク情報を受信する受信手順と、前記ブックマーク機能提供手段から受信したブックマーク情報に基づいてユーザが興味を持つジャンルを定期的に推定する第１の推定手順と、この第１の推定手順で推定したジャンルの情報をユーザが興味を持つジャンルを管理する管理データベースへ転送して、前記管理データベースに対するジャンル情報の登録又は更新をユーザ毎に行う第１の登録更新手順とを備えるものである。
また、本発明のＷｅｂサイト誘導方法の１構成例は、前記情報端末装置からのコンテンツアクセスの履歴を示すアクセスログをユーザ別コンテンツ別に収集する収集手順と、前記ユーザ別コンテンツ別アクセスログに基づいてユーザが興味を持つジャンルをユーザ毎に推定する第２の推定手順と、この第２の推定手順で推定したジャンルの情報を前記管理データベースへ転送して、前記管理データベースに対するジャンル情報の登録又は更新をユーザ毎に行う第２の登録更新手順とを備えるものである。
【０００９】
また、本発明のＷｅｂサイト誘導システムは、所定のＷｅｂサイト上で提示されるコンテンツをユーザの操作に応じて登録するブックマーク機能提供手段を、ユーザの情報端末装置に配布する配布手段と、前記情報端末装置に配布されたブックマーク機能提供手段から定期的に送信されるユーザのブックマーク情報を受信する受信手段と、前記ブックマーク機能提供手段から受信したブックマーク情報に登録されているコンテンツが更新されたか否かを判定する判定手段と、前記判定の結果に基づいて、前記ブックマーク情報に登録されているコンテンツの更新の有無を前記ブックマーク機能提供手段を通じてユーザに通知する通知手段とを備えるものである。
また、本発明のＷｅｂサイト誘導システムは、所定のＷｅｂサイト上で提示されるコンテンツをユーザの操作に応じて登録するブックマーク機能提供手段を、ユーザの情報端末装置に配布する配布手段と、前記情報端末装置に配布されたブックマーク機能提供手段から定期的に送信されるユーザのブックマーク情報を受信する受信手段と、前記ブックマーク機能提供手段から受信したブックマーク情報に基づいてユーザが興味を持つジャンルを定期的に推定する第１の推定手段と、この第１の推定手段で推定されたジャンルの情報をユーザが興味を持つジャンルを管理する管理データベースへ転送して、前記管理データベースに対するジャンル情報の登録又は更新をユーザ毎に行う第１の登録更新手段とを備えるものである。
また、本発明のＷｅｂサイト誘導システムの１構成例は、前記情報端末装置からのコンテンツアクセスの履歴を示すアクセスログをユーザ別コンテンツ別に収集する収集手段と、前記ユーザ別コンテンツ別アクセスログに基づいてユーザが興味を持つジャンルをユーザ毎に推定する第２の推定手段と、この第２の推定手段で推定されたジャンルの情報を前記管理データベースへ転送して、前記管理データベースに対するジャンル情報の登録又は更新をユーザ毎に行う第２の登録更新手段とを備えるものである。
【００１０】
また、本発明のＷｅｂサイト誘導プログラムは、所定のＷｅｂサイト上で提示されるコンテンツをユーザの操作に応じて登録するブックマーク機能提供手段を、ユーザの情報端末装置に配布する配布手順と、前記情報端末装置に配布されたブックマーク機能提供手段から定期的に送信されるユーザのブックマーク情報を受信する受信手順と、前記ブックマーク機能提供手段から受信したブックマーク情報に登録されているコンテンツが更新されたか否かを判定する判定手順と、前記判定の結果に基づいて、前記ブックマーク情報に登録されているコンテンツの更新の有無を前記ブックマーク機能提供手段を通じてユーザに通知する通知手順とをコンピュータに実行させるようにしたものである。
また、本発明のＷｅｂサイト誘導プログラムは、所定のＷｅｂサイト上で提示されるコンテンツをユーザの操作に応じて登録するブックマーク機能提供手段を、ユーザの情報端末装置に配布する配布手順と、前記情報端末装置に配布されたブックマーク機能提供手段から定期的に送信されるユーザのブックマーク情報を受信する受信手順と、前記ブックマーク機能提供手段から受信したブックマーク情報に基づいてユーザが興味を持つジャンルを定期的に推定する第１の推定手順と、この第１の推定手順で推定したジャンルの情報をユーザが興味を持つジャンルを管理する管理データベースへ転送して、前記管理データベースに対するジャンル情報の登録又は更新をユーザ毎に行う第１の登録更新手順とをコンピュータに実行させるようにしたものである。
また、本発明のＷｅｂサイト誘導プログラムの１構成例は、前記情報端末装置からのコンテンツアクセスの履歴を示すアクセスログをユーザ別コンテンツ別に収集する収集手順と、前記ユーザ別コンテンツ別アクセスログに基づいてユーザが興味を持つジャンルをユーザ毎に推定する第２の推定手順と、この第２の推定手順で推定したジャンルの情報を前記管理データベースへ転送して、前記管理データベースに対するジャンル情報の登録又は更新をユーザ毎に行う第２の登録更新手順とをコンピュータに実行させるようにしたものである。
【００１１】
【発明の実施の形態】
以下、本発明の実施の形態について図面を参照して詳細に説明する。図１は本発明の実施の形態となるＷｅｂサイト誘導システムの構成を示すブロック図である。本実施の形態のＷｅｂサイト誘導システムは、ブックマーク機能提供手段となるブックマークソフトウェアと会員管理サーバとの定期的かつ自動的な通信により、会員が登録したお気に入りコンテンツの更新の有無を会員に通知すると共に、会員が登録したお気に入りコンテンツの情報と会員専用ポータルサイトのＷｅｂサーバへのアクセスログとを組み合わせることで、会員が興味を持つジャンルを把握して、会員専用ポータルサイトへのアクセスを促すようにしたものである。
【００１２】
本実施の形態のＷｅｂサイト誘導システムは、ユーザが所有する情報端末装置１と、会員登録したユーザがアクセスする会員専用ポータルサイト２と、会員専用ポータルサイト２と提携している提携サイト３（３−Ａ，３−Ｂ，３−Ｃ）と、情報端末装置１と会員専用ポータルサイト２と提携サイト３とを相互に接続するインターネット４とから構成される。
【００１３】
情報端末装置１は、文字入力機能および表示機能を有するパーソナルコンピュータからなり、インターネット４に常時接続できる環境を有する。
会員専用ポータルサイト２は、会員登録したユーザにコンテンツを提示するサイトであり、情報発信するためのＷｅｂサーバ２１と、ユーザの情報端末装置１に配布したブックマークソフトウェアと通信する会員管理サーバ２２と、会員登録したユーザの情報を管理する会員管理データベース２３と、会員専用ポータルサイト２上で提示するコンテンツの更新状況を管理するコンテンツ更新状況データベース２４とを備えている。Ｗｅｂサーバ２１は、配布手段および収集手段を構成し、会員管理サーバ２２は、受信手段、判定手段、通知手段、第１の推定手段、第１の登録更新手段、第２の推定手段および第２の登録更新手段を構成している。
【００１４】
提携サイト３−Ａ，３−Ｂ，３−Ｃは、それぞれ情報発信するためのＷｅｂサーバ３１−Ａ，３１−Ｂ，３１−Ｃを備えている。
会員専用ポータルサイト２上で提示するコンテンツには、会員専用ポータルサイト２のＷｅｂサーバ２１に格納されているコンテンツと、Ｗｅｂサーバ２１にリンクが設定され、コンテンツ自体は提携サイト３−Ａ，３−Ｂ，３−ＣのＷｅｂサーバ３１−Ａ，３１−Ｂ，３１−Ｃに格納されているコンテンツとがある。
【００１５】
会員専用ポータルサイト２のＷｅｂサーバ２１および会員管理サーバ２２は、インターネット４に常時接続できる環境を有し、会員登録したユーザの情報端末装置１とインターネット４を介して常時接続され、また提携サイト３−Ａ，３−Ｂ，３−ＣのＷｅｂサーバ３１−Ａ，３１−Ｂ，３１−Ｃともインターネット４を介して常時接続されている。
【００１６】
次に、本実施の形態のＷｅｂサイト誘導システムの動作として、情報端末装置１にインストールされるブックマークソフトウェアと会員専用ポータルサイト２の会員管理サーバ２２との間の動作を図２を参照して説明する。
会員専用ポータルサイト２に登録を希望するユーザは、自身の情報端末装置１から会員専用ポータルサイト２にアクセスして、氏名や電子メールアドレス等の情報を登録する。このとき、会員専用ポータルサイト２は、会員登録したユーザに対して、固有のＩＤおよびパスワードを発行する。会員管理データベース２３には、会員登録したユーザの電子メールアドレス、ＩＤ、パスワード等が記憶される。また、会員登録したユーザは、会員専用ポータルサイト２のＷｅｂサーバ２１からブックマークソフトウェア５をダウンロードして、自身の情報端末装置１にインストールする。
【００１７】
情報端末装置１のＣＰＵは、インストールされたブックマークソフトウェア５を実行して、ブラウザと同様のブックマーク機能を提供する。会員登録したユーザは、自身の情報端末装置１を操作して、会員専用ポータルサイト２上で提示されるコンテンツの中から気に入ったコンテンツをブックマークソフトウェア５に登録する。
【００１８】
ブックマークソフトウェア５は、会員専用ポータルサイト２の会員管理サーバ２２に定期的に自動アクセスして、ユーザＩＤとパスワードとユーザのブックマーク情報（登録されたコンテンツの名称やＵＲＬ）とを会員管理サーバ２２に送信する（図２ステップＳ１）。
【００１９】
会員管理サーバ２２は、ブックマークソフトウェア５から受信したユーザＩＤとパスワードとに基づいて情報端末装置１の認証を行った後、受信したブックマーク情報に基づいてユーザが興味を持つジャンルを推定する。そして、会員管理サーバ２２は、推定したジャンルの情報を、受信したユーザＩＤと同一の登録済みユーザＩＤと対応付けて会員管理データベース２３に登録する（ステップＳ２）。
【００２０】
また、会員管理データベース２３にジャンル情報が登録済みの場合、会員管理サーバ２２は、新たに推定したジャンル情報により、会員管理データベース２３に登録済みのジャンル情報を補正する（ステップＳ２）。このジャンル情報の補正は、例えばブックマークソフトウェア５から送信されたブックマーク情報に応じて定期的にジャンルを推定したときに発現頻度が高いジャンルほど優先順位が高くなるようにすればよい。
【００２１】
続いて、会員管理サーバ２２は、ブックマークソフトウェア５から受信したブックマーク情報に登録されているコンテンツ（以下、お気に入りコンテンツと呼ぶ）の最新の更新日時をコンテンツ更新状況データベース２４から取得する（ステップＳ３）。
【００２２】
後述のように、Ｗｅｂサーバ２１からはユーザ別コンテンツ別アクセスログが会員管理サーバ２２へ定期的に送信される。会員管理サーバ２２は、ブックマークソフトウェア５から受信したユーザＩＤで特定される当該ユーザがお気に入りコンテンツにアクセスした最新のアクセス日時をユーザ別コンテンツ別アクセスログから取得して、この最新アクセス日時とコンテンツ更新状況データベース２４から取得した最新更新日時とを同一のお気に入りコンテンツ毎に比較する。そして、会員管理サーバ２２は、更新日時がアクセス日時より新しいお気に入りコンテンツについては更新有りとし、更新日時がアクセス日時より古いコンテンツについては更新無しとするコンテンツ更新有無情報を生成して、生成したコンテンツ更新有無情報をブックマークソフトウェア５に送信する（ステップＳ４）。
【００２３】
ブックマークソフトウェア５は、コンテンツ更新有無情報で更新有りとなっているお気に入りコンテンツがあった場合、情報端末装置１の画面に表示している当該コンテンツの名称を例えば点滅させたり反転させたりすることで、お気に入りコンテンツに更新があったことをユーザに通知する（ステップＳ５）。
【００２４】
こうして、お気に入りコンテンツの更新をユーザに通知することにより、ユーザが情報端末装置１の画面に表示されている当該コンテンツの名称をクリックして、会員専用ポータルサイト２のＷｅｂサーバ２１にアクセスする可能性を高めることができる。本実施の形態では、ユーザが会員専用ポータルサイト２にアクセスするか否かに関係なく、お気に入りコンテンツの更新をユーザに随時通知することができるので、ユーザを従来よりも効果的に会員専用ポータルサイト２に誘導することができる。
【００２５】
なお、ブックマークソフトウェア５は、コンテンツの更新通知後に、ユーザがこのコンテンツにアクセスした場合には、更新通知（コンテンツ名称の点滅や反転）を停止する。
【００２６】
次に、会員専用ポータルサイト２のコンテンツ更新状況データベース２４を更新する動作を図３、図４を参照して説明する。会員管理サーバ２２は、会員専用ポータルサイト２のＷｅｂサーバ２１に定期的に自動アクセスして、Ｗｅｂサーバ２１に格納されている各コンテンツの最新更新日時を取得する（図３ステップＳ６）。そして、会員管理サーバ２２は、コンテンツ更新状況データベース２４で管理されている当該コンテンツの最新更新日時をＷｅｂサーバ２１から取得した最新更新日時に書き換える（ステップＳ７）。
【００２７】
また、会員管理サーバ２２は、提携サイト３−Ａ，３−Ｂ，３−ＣのＷｅｂサーバ３１−Ａ，３１−Ｂ，３１−Ｃに定期的に自動アクセスして、会員専用ポータルサイト２にリンクが設定されている各コンテンツの最新更新日時を取得する（図４ステップＳ８）。そして、会員管理サーバ２２は、コンテンツ更新状況データベース２４で管理されている当該コンテンツの最新更新日時をＷｅｂサーバ３１−Ａ，３１−Ｂ，３１−Ｃから取得した最新更新日時に書き換える（ステップＳ９）。
【００２８】
次に、ユーザのアクセスログに基づいて会員管理データベース２３のジャンル情報を補正する動作を図５を参照して説明する。会員専用ポータルサイト２のＷｅｂサーバ２１は、情報端末装置１からのコンテンツアクセスの履歴を示すアクセスログをユーザ別コンテンツ別に収集しており、収集したユーザ別コンテンツ別アクセスログを会員管理サーバ２２へ定期的に自動送信する（図５ステップＳ１０）。
【００２９】
会員管理サーバ２２は、受信したユーザ別コンテンツ別アクセスログに基づいてユーザが興味を持つジャンルをユーザ毎に推定する。そして、会員管理サーバ２２は、この新たに推定したジャンル情報により、会員管理データベース２３に登録済みの各ユーザのジャンル情報を補正する（ステップＳ１１）。このジャンル情報の補正は、例えばＷｅｂサーバ２１から送信されたアクセスログに応じて定期的にジャンルを推定したときに発現頻度が高いジャンルほど優先順位が高くなるようにすればよい。
【００３０】
以上のようにして、ユーザのお気に入りコンテンツとユーザのアクセス実績とを定期的に把握することで、ユーザが興味を持つジャンルの情報を定期的かつ効果的に補正することができるので、会員管理データベース２３のジャンル情報に応じて、ユーザが強い興味を示すコンテンツを用意する等のより効果的なＥマーケティングを行うことができる。
【００３１】
本実施の形態のＷｅｂサーバ２１と会員管理サーバ２２とは、例えばＣＰＵ、記憶装置及びインタフェースを備えたコンピュータとこれらのハードウェア資源を制御するプログラムによって実現することができる。このようなコンピュータにおいて、本発明のＷｅｂサイト誘導方法（コンテンツ更新有無通知方法とジャンル情報推定方法）を実現させるためのＷｅｂサイト誘導プログラム（コンテンツ更新有無通知プログラムとジャンル情報推定プログラム）は、フレキシブルディスク、ＣＤ−ＲＯＭ、ＤＶＤ−ＲＯＭ、メモリカードなどの記録媒体に記録された状態で提供される。ＣＰＵは、読み込んだプログラムを記憶装置に書き込み、前述の処理を実行する。
【００３２】
【発明の効果】
本発明によれば、所定のＷｅｂサイト上で提示されるコンテンツをユーザの操作に応じて登録するブックマーク機能提供手段を、ユーザの情報端末装置に配布する配布手順と、情報端末装置に配布されたブックマーク機能提供手段から定期的に送信されるユーザのブックマーク情報を受信する受信手順と、ブックマーク機能提供手段から受信したブックマーク情報に登録されているコンテンツが更新されたか否かを判定する判定手順と、判定の結果に基づいて、ブックマーク情報に登録されているコンテンツの更新の有無をブックマーク機能提供手段を通じてユーザに通知する通知手順とを実行することにより、お気に入りコンテンツの更新をユーザに通知することができる。従来のシステムでは、例えばブラウザの「お気に入り」にＵＲＬを登録しても、ユーザ専用ホームページにアクセスしない限り、ユーザはコンテンツの更新を把握することができなかった。これに対して、本発明では、ユーザがＷｅｂサイトにアクセスするか否かに関係なく、お気に入りコンテンツの更新をユーザに随時通知することができるので、ユーザは無駄なアクセスを減らすことができる。また、Ｗｅｂサイトの運営者にとっては、ユーザに対して電子メールを使わずに能動的にコンテンツの更新を伝えることができるので、ユーザを従来よりも効果的にＷｅｂサイトに誘導することができる。
【００３３】
また、所定のＷｅｂサイト上で提示されるコンテンツをユーザの操作に応じて登録するブックマーク機能提供手段を、ユーザの情報端末装置に配布する配布手順と、情報端末装置に配布されたブックマーク機能提供手段から定期的に送信されるユーザのブックマーク情報を受信する受信手順と、ブックマーク機能提供手段から受信したブックマーク情報に基づいてユーザが興味を持つジャンルを定期的に推定する第１の推定手順と、この第１の推定手順で推定したジャンルの情報をユーザが興味を持つジャンルを管理する管理データベースへ転送して、管理データベースに対するジャンル情報の登録又は更新をユーザ毎に行う第１の登録更新手順とを実行することにより、ユーザのお気に入りコンテンツを定期的に把握して、当該ユーザが興味を持つジャンルを定期的に把握することができるので、ユーザが興味を持つジャンルの情報をアクティブに補正することができ、効果的なＥマーケティングを実現することができる。
【００３４】
また、情報端末装置からのコンテンツアクセスの履歴を示すアクセスログをユーザ別コンテンツ別に収集する収集手順と、ユーザ別コンテンツ別アクセスログに基づいてユーザが興味を持つジャンルをユーザ毎に推定する第２の推定手順と、この第２の推定手順で推定したジャンルの情報を管理データベースへ転送して、管理データベースに対するジャンル情報の登録又は更新をユーザ毎に行う第２の登録更新手順とを実行することにより、ユーザのお気に入りコンテンツと共にユーザのアクセス実績を定期的に把握することで、ユーザが興味を持つジャンルの情報をよりアクティブに補正することができ、より効果的なＥマーケティングを実現することができる。
【図面の簡単な説明】
【図１】本発明の実施の形態となるＷｅｂサイト誘導システムの構成を示すブロック図である。
【図２】本発明の実施の形態におけるブックマークソフトウェアと会員専用ポータルサイトの会員管理サーバとの間の動作を示すフローチャートである。
【図３】本発明の実施の形態において会員専用ポータルサイトのコンテンツ更新状況データベースを更新する動作を示すフローチャートである。
【図４】本発明の実施の形態において会員専用ポータルサイトのコンテンツ更新状況データベースを更新する動作を示すフローチャートである。
【図５】本発明の実施の形態においてユーザのアクセスログに基づいて会員管理データベースのジャンル情報を補正する動作を示すフローチャートである。
【符号の説明】
１…情報端末装置、２…会員専用ポータルサイト、３…提携サイト、４…インターネット、５…ブックマークソフトウェア、２１、３１…Ｗｅｂサーバ、２２…会員管理サーバ、２３…会員管理データベース、２４…コンテンツ更新状況データベース。
【図１】
2004318389.tif 000003
【図２】
2004318389.tif 000004
【図３】
2004318389.tif 000005
【図４】
2004318389.tif 000006
【図５】
2004318389.tif 000007